(57)【要約】【課題】サッシを伝った建家内への熱の侵入を確実に防止し、かつ不使用時にスクリーンを幅方向にコンパクトにして輸送の円滑化及び格納場所の省スペース化を図れるシェードを提供する。【解決手段】シェード１は建家Ａのサッシ付きガラス窓Ａ１を外方から覆う略矩形状のスクリーン１０を備える。スクリーン１０は、ラッセル織りした織地により可撓性を有して形成され、サッシ付きガラス窓Ａ１がそのサッシごと一枚で覆われるようにサッシ付きガラス窓の幅よりも１割増しの幅広な幅に設定され、その上端を幅方向全域に沿って延びる保持用棒材２によって保持する。保持用棒材２を２つの分割片２２，２２により折り畳み可能に構成し、スクリーン１０の使用時に各分割片２２を直線状に連なるように配置してフックＡ３に吊持具２６で吊持する一方、不使用時や輸送時に各分割片２２同士を互いに重なり合うように折り畳んでスクリーン１０を巻き取る軸芯としている。【選択図】図１
2017202096.tif 000002
【特許請求の範囲】
【請求項１】
建家に開口する開口部に取り付けられたサッシ付きガラス窓をスクリーンによって前記建家の外方から覆うようにしたシェードであって、
前記スクリーンは、編成した編地又は織成した織地により可撓性を有して形成され、前記サッシ付きガラス窓がそのサッシごと前記建家の外方から一枚で覆われるように当該サッシ付きガラス窓の幅よりも１割増しの幅広な幅に設定されているとともに、その上端が幅方向全域に沿って延びる保持用棒材によって保持されており、
前記保持用棒材は、前記スクリーンの幅方向で折り畳み可能な複数の分割片により構成され、前記スクリーンの使用時に前記各分割片が直線状に連なるように配置されて前記サッシ付きガラス窓よりも上側に取り付けた吊持具にそれぞれ吊持される一方、不使用時や輸送時に前記各分割片同士が互いに重なり合うように前記スクリーンと共に折り畳まれてそのスクリーンを巻き取る軸芯とされることを特徴とするシェード。
【請求項２】
前記保持用棒材は、前記スクリーンの幅方向中央で折り畳み可能な２つの分割片により構成され、
前記サッシ付きガラス窓としては、１間のサッシ枠を基準にした掃き出し窓２枚分に相当するものが適用されている請求項１に記載のシェード。
【請求項３】
前記２つの分割片は、それぞれ断面略半円形状に形成されている請求項２に記載のシェード。
【請求項４】
前記保持用棒材は、前記スクリーンの使用時に互いに隣接する各分割片の外周面の端部同士に跨るように被冠する被冠具を備え、この被冠具によって当該各分割片の折り畳みを規制している請求項１〜請求項３のいずれか１つに記載のシェード。
【請求項５】
前記スクリーンの下端の幅方向複数箇所には、当該スクリーンを揺れ止めする揺れ止め具を取り付ける取付部が設けられている請求項１〜請求項４のいずれか１つに記載のシェード。
【発明の詳細な説明】
【技術分野】
【０００１】
本発明は、建家に開口する開口部をスクリーンによって建家の外方から覆うようにしたシェードに関する。
【背景技術】
【０００２】
従来より、この種のシェードとしては、開口部の上縁において上端が支持されたスクリーンを下方へ垂らして開口部を建家の外方から覆うようにしたものが知られている（特許文献１参照）。このスクリーンの下端は、ブロックに付けた紐により結わえておくことで、風などによる揺れを抑制できるようにしている。
【０００３】
また、建家の開口部にサッシ付きガラス窓が取り付けられている場合、サッシがアルミニウム等により成形されていると、外気温（建家外の気温）がサッシを伝って建家内に侵入し易い。そのため、シェードとしては、サッシ付きガラス窓をそのサッシごと建家の外方から一枚で覆うような幅広のスクリーンを用いたものが利用されている（特許文献２参照）。
【０００４】
このような幅広のスクリーンは、サッシ付きガラス窓の幅とほぼ同じ幅に設定されている。また、スクリーンの上端は、使用時の弛みなどを防止する上で、スクリーンの上端をその幅方向全域に沿って延びる線材状の保持具によって保持することがある。
【先行技術文献】
【特許文献】
【０００５】
【特許文献１】実用新案登録第３１７０１１４号公報
【特許文献２】特開２０１５−９３３９２号公報
【発明の概要】
【発明が解決しようとする課題】
【０００６】
ところで、スクリーンが、サッシ付きガラス窓の幅とほぼ同じ幅に設定されていると、太陽光の日差しのズレなどによって、サッシ付きガラス窓の幅全域をスクリーンで覆うことができない。そのため、スクリーンで覆えずに露呈するサッシ付きガラス窓の露呈部分が日差しに晒されて高温となり、その熱がサッシを伝って建家内に侵入してしまうといった、不具合がある。
【０００７】
しかも、サッシごと一枚で覆う幅広のスクリーンでは、シェードの輸送時や不使用時に、シェードの上端の保持具を軸芯にしてスクリーンが巻き取られるものの、スクリーンを幅広なままで巻き取ったシェードでは、輸送が非常に困難となる上、格納場所に長大なスペースを要することになる。
【０００８】
本発明は、かかる点に鑑みてなされたものであり、その目的とするところは、サッシ付きガラス窓の幅全域をスクリーンで円滑に覆ってサッシを伝った建家内への熱の侵入を確実に防止し、かつ不使用時にスクリーンを幅狭な状態で巻き取れるように幅方向にコンパクトなものにして輸送の円滑化及び格納場所の省スペース化を図ることができるシェードを提供することにある。
【課題を解決するための手段】
【０００９】
前記目的を達成するため、本発明が講じた解決手段は、建家に開口する開口部に取り付けられたサッシ付きガラス窓をスクリーンによって前記建家の外方から覆うようにしたシェードを前提とする。更に、前記スクリーンは、編成した編地又は織成した織地により可撓性を有して形成され、前記サッシ付きガラス窓がそのサッシごと前記建家の外方から一枚で覆われるように当該サッシ付きガラス窓の幅よりも１割増しの幅広な幅に設定されているとともに、その上端が幅方向全域に沿って延びる保持用棒材によって保持されている。そして、前記保持用棒材は、前記スクリーンの幅方向で折り畳み可能な複数の分割片により構成され、前記スクリーンの使用時に前記各分割片が直線状に連なるように配置されて前記サッシ付きガラス窓よりも上側に取り付けた吊持具にそれぞれ吊持される一方、不使用時や輸送時に前記各分割片同士が互いに重なり合うように折り畳まれて前記スクリーンを巻き取る軸芯とされることを特徴としている。
【００１０】
また、前記保持用棒材を、前記スクリーンの幅方向中央で折り畳み可能な２つの分割片により構成する。そして、前記サッシ付きガラス窓として、１間のサッシ枠を基準にした掃き出し窓２枚分に相当するものを適用していてもよい。
【００１１】
更に、前記２つの分割片が、それぞれ断面略円形状に形成されていてもよい。
【００１２】
また、前記保持用棒材は、前記スクリーンの使用時に互いに隣接する各分割片の外周面の端部同士に跨るように被冠装着される被冠具を備え、この被冠具によって当該各分割片の折り畳みを規制していてもよい。
【００１３】
また、前記スクリーンの下端の幅方向複数箇所に、当該スクリーンを揺れ止めする揺れ止め具を取り付ける取付部が設けていてもよい。
【発明の効果】
【００１４】
前記目的を達成するため、本発明では、幅広に設定されたスクリーンの上端を保持する保持用棒材が、スクリーンの幅方向で折り畳み可能な複数の分割片により構成され、使用時に各分割片が直線状に連なるように配置されてサッシ付きガラス窓よりも上側の吊持具にそれぞれ吊持されることで、スクリーンの弛みなどを防止している。このとき、スクリーンは、サッシ付きガラス窓の幅よりも１割増しの幅となるように幅広に設定されることで、サッシ付きガラス窓の幅全域がスクリーンで円滑に覆われ、サッシを伝った建家内への熱の侵入を確実に防止することができる。
【００１５】
一方、保持用棒材が、輸送時や不使用時に各分割片が互いに重なり合うように折り畳まれてスクリーンを巻き取る軸芯とされることで、互いに重なり合って折り畳まれた各分割片の長さに応じてスクリーンも折り畳まれて幅狭な状態で巻き取られる。これにより、不使用時にシェードが幅方向に非常にコンパクトなものとなって、輸送の円滑化及び格納場所の省スペース化を図ることができる。
【００１６】
また、保持用棒材を２つの分割片に分割し、サッシ付きガラス窓として１間のサッシ枠を基準にした掃き出し窓２枚分に相当するものを適用することで、使用時にほぼ正方形状を呈するスクリーンによってサッシ付きガラス窓をそのサッシごと建家の外方から一枚で覆うことができる。しかも、掃き出し窓２枚分に相当するサッシ付きガラス窓は、日本家屋に多く用いられていることにより、利用頻度の高いシェードを提供することができる。更に、不使用時に折り畳まれる分割片と共にスクリーンが掃き出し窓一枚分程度の幅方向の長さに折り畳まれ、掃き出し窓一枚を覆う寸法のシェードと同じ大きさとなり、実施する上で非常にコンパクトなシェードを提供することができる。
【００１７】
更に、２つの分割片をそれぞれ断面略円形状に形成することで、使用時にスクリーンの表裏いずれにおいても各分割片の形状を一致させることが可能となり、使用時にスクリーンの表裏方向から見た各分割片の見映えを向上させることができる。
【００１８】
また、スクリーンの使用時に互いに隣接する各分割片の外周面の端部同士に跨るように被冠装着して拘束する被冠具によって当該各分割片の折り畳みを規制することで、幅広に設定されたスクリーンの使用時の弛みをなくしつつ不慮の折り畳みを禁止し、サッシ付きガラス窓を幅広なスクリーンによって見映えよく建家の外方から覆うことができる。
【００１９】
また、スクリーンの下端の幅方向複数箇所に揺れ止め具を取り付ける取付部を設けて、スクリーンを揺れ止めすることで、幅広なスクリーンの揺れを効果的に抑制することができる。
【図面の簡単な説明】
【００２０】
【図１】本発明の実施の形態に係るシェードのスクリーンによってサッシ付きガラス窓を建家の外方から覆った状態の斜視図である。
【図２】図１のスクリーンの上端を保持する保持用棒材を折り畳んだ状態での斜視図である。
【図３】図２の保持用棒材の各分割片の一端同士を軸線方向から見た図である。
【図４】図２の保持用棒材を芯材にしてスクリーンを巻き取り始める状態を説明する斜視図である。
【図５】本実施の形態の変形例に係るシェードの保持用棒材を折り畳んだ状態の斜視図である。
【図６】図５の保持用棒材の各分割片の一端同士を軸線方向から見た図である。
【図７】その他の変形例に係るシェードの保持用棒材を折り畳んだ状態の斜視図である。
【図８】図７の保持用棒材の各分割片の一端同士を軸線方向から見た図である。
【発明を実施するための形態】
【００２１】
以下、添付図面を参照しながら、本発明の実施の形態について説明し、本発明の理解に供する。なお、以下の実施の形態は、本発明を具体化した一例であって、本発明の技術的範囲を限定する性格のものではない。
【００２２】
図１は本発明の実施の形態に係るシェードのスクリーンによってサッシ付きガラス窓を建家の外方から覆った状態の斜視図を示している。
【００２３】
図１において、１はシェードであって、このシェード１は、建家Ａに開口する開口部としての窓枠（図示せず）に取り付けられたサッシ付きガラス窓Ａ１を建家Ａの外方から覆う略矩形状のスクリーン１０を備えている。このスクリーン１０は、ポリエチレン樹脂よりなる平たいテープ状の糸をラッセル織りして上下方向の予め設定された間隔おき（例えば２０ｍｍ間隔置き）に通風可能な隙間（図示せず）を有して織成された織地により可撓性を有して形成されている。そして、スクリーン１０は、サッシ付きガラス窓Ａ１がそのサッシごと建家Ａの外方から一枚で覆われるように当該サッシ付きガラス窓Ａ１の幅よりも１割増しの幅広な幅に設定されている。この場合、サッシ付きガラス窓Ａ１は、１間のサッシ枠を基準にした掃き出し窓２枚分に相当する幅（例えば１，８２０ｍｍ）に設定され、スクリーン１０は、サッシ付きガラス窓Ａ１の幅よりも１割増しの幅広な幅（例えば約２，０００ｍｍ）に設定されている。このスクリーン１０は、高さ方向の長さも幅と同じ長さ（例えば２，０００ｍｍ）に設定されて、略正方形状を呈している。
【００２４】
図２はスクリーン１０の上端を保持する保持用棒材を折り畳んだ状態での斜視図を示している。この図２にも示すように、スクリーン１０の上端は、その内部にロープ２１を包含した状態で折り返され、ロープ２１から離脱しないように縫製されている。また、スクリーン１０の上端は、サッシ付きガラス窓Ａ１の上方を幅方向に沿って延びる保持用棒材２によってロープ２１と共に保持されている。この保持用棒材２は、サッシ付きガラス窓Ａ１よりも上側を当該サッシ付きガラス窓Ａ１の幅方向全域に沿って延びる支持板Ａ２に取り付けられた４つのフックＡ３，Ａ３，…に吊持具２６（後述する）を介してそれぞれ吊持されている。
【００２５】
図３は保持用棒材２の各分割片の折曲端同士を軸線方向から見た図、図４は保持用棒材２を芯材にしてスクリーン１０を巻き取り始める状態を説明する斜視図をそれぞれ示している。
【００２６】
図３にも示すように、保持用棒材２は、スクリーン１０の幅方向中央位置で折り畳み可能な２つの分割片２２，２２により構成されている。各分割片２２は、断面略円形状に形成され、ほぼ中心を通る２つの連結片２３，２３によって内部空間２４が上下に分割されている。
【００２７】
各分割片２２の下端には、その軸心方向へ連続して延びる下端スリット２５Ｄが設けられている。そして、各分割片２２の下側の内部空間２４Ｄには、スクリーン１０の上端がロープ２１と共に挿通され、その上端を除くスクリーン１０の大部分は、下端スリット２５Ｄを介して下方に導出している。このとき、下端スリット２５Ｄは、スクリーン１０の厚みよりも幅が広く設定されている一方、ロープ２１の径よりも幅が狭く設定されている。
【００２８】
また、各分割片２２の上端には、その軸心方向へ連続して延びる上端スリット２５Ｕが設けられている。この上端スリット２５Ｕには、左右一対の吊持具２６がスライド自在に支持されている。各吊持具２６は、各分割片２２の厚みとほぼ同じ上下長さに形成され、かつ上端スリット２５Ｕ内を摺動する摺動部２６１と、この摺動部２６１の下端に一体的に設けられ、各分割片２２の上側の内部空間２４Ｕに収容されて上端スリット２５Ｕの裏面（内部空間２４Ｕ側）に沿って案内する案内片２６２と、摺動部２６１の下端に一体的に設けられ、各フックＡ３にそれぞれ挿通される孔部２６３を有する吊持片２６４とを備えている。
【００２９】
そして、各分割片２２は、スクリーン１０の使用時に折曲端である一端同士（図４では右端同士）を向き合わせて直線状に連なるように配置された状態で、サッシ付きガラス窓Ａ１よりも上側の支持板Ａ２に取り付けた各フックＡ３にそれぞれ吊持具２６を介して吊持されている。一方、図４にも示すように、不使用時や輸送時に各分割片２２，２２同士が互いに重なり合うようにスクリーン１０と共に折り畳まれ、その折り畳まれたスクリーン１０を長手方向（上下方向）で２〜３度折り返した状態で、各分割片２２，２２がスクリーン１０を巻き取る軸芯とされている。なお、各分割片２２の他端は、図示しないキャップによって閉止されている。
【００３０】
スクリーン１０の下端の幅方向両端には、当該スクリーン１０を揺れ止めする揺れ止め具としての樹脂製の水タンク型オモリＡ５を取り付ける取付部２７，２７が設けられている。各取付部２７は、ポリプロピレン樹脂により成形され、スクリーン１０の下端を表裏方向から挟み込んで当該スクリーン１０の下端に取り付けられる。各取付部２７の下端には孔部が設けられ、この孔部と、水タンク型オモリＡ５の係止孔とにそれぞれ挿通した紐Ａ７で結びつけてスクリーン１０を真っ直ぐに張った張設状態にしている。水タンク型オモリＡ５は、庭の地面上やテラスなどの床Ａ４に設置されている。
【００３１】
したがって、本実施の形態では、幅広に設定されたスクリーン１０の上端を保持する保持用棒材２が、スクリーン１０の幅方向で折り畳み可能な２つの分割片２２，２２により構成され、使用時に一端同士を向き合わせて直線状に連なるように各分割片２２が配置されてサッシ付きガラス窓Ａ１よりも上側の支持板Ａ２のフックＡ３に吊持具２６を介して吊持されることで、スクリーン１０の弛みなどを防止している。このとき、スクリーン１０は、サッシ付きガラス窓Ａ１の幅（１，８２０ｍｍ）よりも１割増しの幅（２，０００ｍｍ）となるように幅広に設定されているので、サッシ付きガラス窓Ａ１の幅全域がスクリーン１０で円滑に覆われ、サッシを伝った建家Ａ内への熱の侵入を確実に防止することができる。
【００３２】
一方、各分割片２２，２２同士が互いに重なり合うように共に折り畳まれたスクリーン１０が長手方向で２〜３度折り返された状態で、各分割片２２，２２がスクリーン１０を巻き取る軸芯とされることで、互いに重なり合って折り畳まれた各分割片２２の長さに応じてスクリーン１０も折り畳まれて幅狭な状態で巻き取られる。
これにより、不使用時にシェード１が幅方向に非常にコンパクトなものとなって、輸送の円滑化及び格納場所の省スペース化を図ることができる。
【００３３】
また、サッシ付きガラス窓Ａ１として１間のサッシ枠を基準にした掃き出し窓２枚分に相当するものが適用されているので、使用時にほぼ正方形状を呈するスクリーン１０によってサッシ付きガラス窓Ａ１をそのサッシごと建家Ａの外方から一枚で覆うことができる。しかも、掃き出し窓２枚分に相当するサッシ付きガラス窓Ａ１は、日本家屋に多く用いられていることにより、利用頻度の高いシェード１を提供することができる。更に、不使用時に折り畳まれる分割片２２，２２と共にスクリーン１０が掃き出し窓一枚分程度の幅方向の長さに折り畳まれ、掃き出し窓一枚を覆う寸法のシェードと同じ大きさとなり、実施する上で非常にコンパクトなシェード１を提供することができる。
【００３４】
また、スクリーン１０の下端の幅方向両端に、当該スクリーン１０を揺れ止めする水タンク型オモリＡ５を取り付ける取付部２７，２７が設けられ、各取付部２７の下端の孔部と、床Ａ４に設置した水タンク型オモリＡ５の係止孔とにそれぞれ挿通した紐Ａ７で結びつけてスクリーン１０を真っ直ぐに張った張設状態にしているので、幅広なスクリーン１０の揺れを効果的に抑制することができる。
【００３５】
更に、２つの分割片２２，２２がそれぞれ断面略円形状に形成されているので、使用時にスクリーン１０の表裏いずれにおいても各分割片２２の形状を一致させることが可能となり、使用時にスクリーン１０の表裏方向から見た各分割片２２の見映えを向上させることができる。
【００３６】
なお、本発明は、前記実施の形態に限定されるものではなく、その他種々の変形例を包含している。例えば、前記実施の形態では、スクリーン１０の使用時に一端同士を向き合わせて各分割片２２を直線状に連なるように配置したが、各分割片の外周面の一端部同士に跨るように被冠装着して拘束する被冠具（例えば、断面略Ω字状や断面略Ｃ字状のものなど）によって当該各分割片の折り畳みが確実に規制されるようにしてもよい。この被冠具の周方向の開口部分は、下端スリット２５Ｄと一致され、スクリーン１０の大部分を下方に導出させるようにしている。この場合、幅広に設定されたスクリーンの使用時の弛みをなくしつつ不慮の折り畳みが禁止され、サッシ付きガラス窓を幅広なスクリーンによって見映えよく建家の外方から覆うことが可能となる。
【００３７】
また、前記実施の形態では、各分割片２２を断面略円形状に形成したが、図５及び図６に示すように、保持用棒材３を、スクリーン１０の幅方向中央で折り畳み可能な２つの分割片３２，３２によって構成し、各分割片３２が、スクリーン１０を折り畳んだ際に互いに重なり合って断面略円形状を呈するようにそれぞれ断面略半円形状に形成されていてもよい。
【００３８】
この場合、スクリーン１０を折り畳んだ際に各分割片３２の平坦な面同士が互いに重なり合ってズレ難いものとなり、巻き取ったスクリーン１０の解けなどを円滑に防止することが可能となる。しかも、スクリーン１０を折り畳んだ際に互いに平坦な面同士が重なり合う各分割片３２は、断面略半円形状の湾曲な面同士を使用時にスクリーン１０の表裏いずれかに一致させることが可能となり、使用時に各分割片３２の平坦な面同士又は湾曲な面同士をスクリーン１０の表裏方向で互いに一致させて見映えの向上を図ることも可能となる。なお、図５及び図６中の符号３３は上下一対の連結片であって、内部空間３４を上側の内部空間３４Ｕと下側の内部空間３４Ｄとに上下に分割している。また、各分割片３２の上端及び下端には、それぞれ軸心方向へ連続して延びる上端スリット３５Ｕ及び下端スリット３５Ｄが設けられている。
【００３９】
これに対し、図７及び図８に示すように、保持用棒材４を、スクリーン１０の幅方向中央で折り畳み可能な２つの分割片４２，４２によって構成し、各分割片４２が、スクリーン１０を折り畳んだ際に互いに重なり合って断面略正方形状を呈するようにそれぞれ断面略長方形状に形成されていてもよい。
【００４０】
この場合、スクリーン１０を折り畳んだ際に各分割片４２の平坦な面同士が互いに重なり合ってズレ難いものとなり、巻き取ったスクリーン１０の解けなどを円滑に防止することが可能となる。しかも、スクリーン１０を折り畳んだ際に互いに平坦な面同士が重なり合う各分割片４２は、断面略半円形状の湾曲な面同士を使用時にスクリーン１０の表裏双方で一致させることが可能となり、使用時に各分割片４２の平坦な面同士をスクリーン１０の表裏方向で互いに一致させて見映えの向上を図ることも可能となる。なお、図７及び図８中の符号４３は上下一対の連結片であって、内部空間４４を上側の内部空間４４Ｕと下側の内部空間４４Ｄとに上下に分割している。また、各分割片４２の上端及び下端には、それぞれ軸心方向へ連続して延びる上端スリット４５Ｕ及び下端スリット４５Ｄが設けられている。
【００４１】
また、前記実施の形態では、ラッセル織りにより織成した織地によりスクリーン１０を形成したが、スクリーンが編機により編成した編地により可撓性を有して形成されていてもよい。
【００４２】
更に、前記実施の形態では、保持用棒材２〜４をスクリーン１０の幅方向で折り畳み可能な２つの分割片２２〜４２により構成したが、保持用棒材がスクリーンの幅方向で折り畳み可能な３つ以上の分割片によって構成されていてもよいのはいうまでもない。
【符号の説明】
【００４３】
１          シェード
１０        スクリーン
２          保持用棒材
２２        分割片
２６        吊持具
２７        取付部
３          保持用棒材
４          保持用棒材
Ａ          建家
Ａ１        サッシ付きガラス窓
Ａ５        水タンク型オモリ（揺れ止め具）
【図１】
2017202096.tif 000003
【図２】
2017202096.tif 000004
【図３】
2017202096.tif 000005
【図４】
2017202096.tif 000006
【図５】
2017202096.tif 000007
【図６】
2017202096.tif 000008
【図７】
2017202096.tif 000009
【図８】
2017202096.tif 000010